(57)【要約】【課題】焼き網、グリルの焼き網から焼き物を皿に移す場合、形が崩れたり焼き物の表面が汚くなることを解消させた調理用掬具を提供する。【解決手段】ステンレス・鉄等の金属線材を焼き網、グリルの焼き網の間に挿入出来るような間隔の櫛歯状に形成し、載置部先端には上方に向かって屈曲形成してなる係止部を設け、握柄方向の手元には略Ｓ字形部を形成し、載置部に向かって高底差を設けることにより、調理用掬具がグリルの焼き網の水入れ皿側面に当たることを防ぎ、焼き網と平行な状態で挿入することができる。したがって焼き物を真下から真上へ形を崩すことなく持ち上げることが出来、容易に皿に移すことが出来る。【選択図】　　図２
2004105491.tif 000002
【特許請求の範囲】
【請求項１】
ステンレス・鉄等の金属線材を焼き網、グリルの焼き網の間に挿入出来るような間隔の櫛歯状に形成し、基部に握柄を取り付けた調理用掬具であり、握柄から載置部方向に向けて高低差を設けた調理用掬具。
【請求項２】
ステンレス・鉄等の金属線材を焼き網、グリルの焼き網の間に挿入出来るような間隔の櫛歯状に形成し、基部に握柄を取り付けた調理用掬具であって、櫛歯状の握柄方向手元に略Ｓ字形部を設け、載置部に向かって高低差を設けた前記請求項１記載の調理用掬具。
【請求項３】
ステンレス・鉄等の金属線材を焼き網、グリルの焼き網の間に挿入出来るような間隔の櫛歯状に形成し、基部に握柄を取り付けた調理用掬具であって、前記は櫛歯状の握柄方向手元に略Ｓ字形部を設け、載置部に向かって高低差を設けた調理用掬具であり、載置部の先端に上方に向かって屈曲形成してなる係止部を設けた前記請求項１記載の調理用掬具。
【発明の詳細な説明】
【０００１】
【発明の属する技術分野】
本発明は、電気・ガスなどのグリル付ガスコンロの焼き網、及びそれ以外の焼き網に容易に挿入しうる櫛歯状の調理用掬具に関する。
【０００２】
【従来の技術】
焼き網及びグリルの焼き網の調理用掬具は種種提案されているが、例えば実開昭６０−３６８３２号公報に開示された「消炎兼用掬上具」は、耐熱資料製の箱形状の消炎ケースに挿脱自在に挿入してなる消炎兼用掬上具である。
【０００３】
【発明が解決しようとする課題】
前記実開昭６０−３６８３２号公報記載の「消炎兼用掬上具」は、先端を丸く尖らせ周側縁を立ち上がらせたフレームであり、等間隔で幅の狭いグリル用焼き網の間には挿入しづらい欠点がある。また耐熱資料製の箱形状の消炎ケースは不要に等しく、必要性を感じない。
上記公報の第一図、掬上本体（１）は直線であり、グリルの焼き網に挿入した場合斜めに挿入しなければならず、先端はグリルの水入れ皿底にあたる可能性がある。また、基盤（２）は面のある直線で、グリルの焼き網に挿入する際グリルの焼き網の水入れ皿側面にあたり、グリルの焼き網に平行な状態で挿入することが出来ない。
本発明は、これ等の欠点を解消した調理用掬具を提供することを目的とする。
【０００４】
【課題を解決するための手段】
本発明は前記目的に添うため、ステンレス・鉄等の金属線材を焼き網、グリルの焼き網の間に挿入出来るような間隔の櫛歯状に形成し、基部に握柄を取り付けた調理用掬具であり、櫛歯状の握柄方向手元に略Ｓ字形部を設け、載置部に向かって高低差をつけるとともに、載置部先端には上方に向かって屈曲形成してなる係止部を設けた調理用掬具を提供するものである。焼き網、電気・ガスなどのグリル付コンロの焼き網において、焼き物を掬い上げる際、焼き物が滑り落ちる状態になった場合、載置部先端に上方に向かって屈曲形成してなる係止部を設けることにより滑り落ちを解決するものであり、また握柄方向手元には調理用掬具がグリルの水入れ皿側面に当たることを防ぎ、なおかつ焼き物に平行な状態で挿入し、真っ直ぐ真上に焼き物を持ち上げることが出来る略Ｓ字形部を形成し、載置部に向かって高低差を設けた。なお握柄方向の両角には、電気、ガスなどのグリル付コンロに調理用掬具を挿入する際、調理用掬具の角がグリルにぶつかることを解消するため調理用掬具の角を落とした曲線を設けた。そのことにより、切り身魚、大きな魚、開き魚、その他、焼き物の形を崩すことなく、また魚の皮なども身から剥がれることなく皿に移すことが出来る。
【０００５】
【発明実施の形態】
本発明の実施例を図面に基づいて説明する。
図１は、請求項１、請求項２、請求項３に示すステンレス・鉄等の金属線材（２）を焼き網、グリルの焼き網の間に挿入出来るような間隔の櫛歯状に形成し握柄（３）を取り付けた調理用掬具（１）である。
櫛歯状の先端は、焼き物の表面を傷つけることなく掬い上げることが出来るよう湾曲（８）に形成し、櫛歯状の握柄方向の両角はグリルに挿入しやすいように角を落とした曲線（１０ａ・１０ｂ）を設けた。また櫛歯状から握柄方向に向けて握柄線（４）を設け、握柄（３）を取り付け、握柄中央はどこにでも掛けられるように開口（５）を設けた真上図である。
【０００６】
図２は、請求項１、請求項２、請求項３に示すステンレス・鉄等の金属線材（２）を焼き網、グリルの焼き網の間に挿入出来るような間隔の櫛歯状に形成し握柄（３）を取り付けた調理用掬具（１）であって、載置部（６）先端には上方に向かって屈曲形成してなる係止部（７）を設け、握柄方向の手元には、水入れ皿側面に当たることを防ぐ略Ｓ字形部（９ａ・９ｂ）を形成し載置部（６）に向かって高底差を設けた斜視図である。
【０００７】
【実施例】
一つの実施例として、載置部先端の係止部を上方へ２０度程度曲げることにより、焼き物を掬い上げる際、斜めに掬い上げてもすべり落ちることを防ぐことが出来る。また握柄方向の手元に略Ｓ字形部を設け、載置部に向かって４０度程度の角度の高底差をつけることによりグリルの水入れ皿側面に当たることなく焼き物の真下に調理用掬具を挿入することが出来、真っ直ぐ真上に焼き物を掬い上げ皿に移すことが出来る。尚、各焼き網に沿った櫛歯幅や水入れ皿に沿った角度が望ましい。
【０００８】
【発明の効果】
本発明は、以下の記載されるような効果を奏する。
焼き網、グリルの焼き網で魚などいろいろな焼き物を焼き、皿に移す場合、焼き物が柔らかく崩れやすい状態の物は、調理用掬具を使用することにより崩れることなく皿に移すことができる。また、大きな物であれば箸で移すことは難しく、箸・ターナーなどで皿に移そうとする場合、焼き物の表面を汚くするおそれがある。それらの欠点を真下からそっと持ち上げ皿に移すことにより解消したものである。
【図面の簡単な説明】
【図１】調理用掬具の真上図である。
【図２】調理用掬具の斜視図である。
【図３】調理用掬具の側面図である。
【図４】グリルに調理用掬具を挿入する状態を示す斜視図である。
【図５】グリルに調理用掬具を挿入した状態を示す斜視図である。
【符号の説明】
１・・・調理用掬具
２・・・線材
３・・・握柄
４・・・握柄線
５・・・開口
６・・・載置部
７・・・係止部
８・・・湾曲部
９ａ　・・略Ｓ字形部
９ｂ　・・略Ｓ字形部
１０ａ　・曲線
１０ｂ　・曲線
【図１】
2004105491.tif 000003
【図２】
2004105491.tif 000004
【図３】
2004105491.tif 000005
【図４】
2004105491.tif 000006
【図５】
2004105491.tif 000007
【手続補正書】
【提出日】平成15年7月11日(2003.7.11)
【手続補正１】
【補正対象書類名】明細書
【補正対象項目名】全文
【補正方法】変更
【補正の内容】
【特許請求の範囲】
【請求項１】ステンレス・鉄等の金属線材を焼き網、グリルの焼き網の間に挿入出来るような間隔の櫛歯状に形成し、基部に握柄を取り付けた調理用掬具であって、櫛歯状の握柄方向手元に略Ｓ字形部を設け、載置部に向かって高低差を設けた調理用掬具。
【発明の詳細な説明】
【０００１】
【発明の属する技術分野】
本発明は、電気・ガスなどのグリル付ガスコンロの焼き網、及びそれ以外の焼き網に容易に挿入しうる櫛歯状の掬具に関する。
【０００２】
【従来の技術】
焼き網及びグリルの焼き網の掬具は種種提案されているが、例えば実開昭６０−３６８３２号公報に開示された「消炎兼用掬上具」は、耐熱資料製の箱形状の消炎ケースに挿脱自在に挿入してなる消炎兼用掬上具である。
【０００３】
【発明が解決しようとする課題】
前記実開昭６０−３６８３２号公報記載の「消炎兼用掬上具」は、先端を丸く尖らせ周側縁を立ち上がらせたフレームであり、等間隔で幅の狭いグリル用焼き網の間には挿入しづらい欠点がある。また耐熱資料製の箱形状の消炎ケースは不要に等しく、必要性を感じない。
上記公報の第一図、掬上本体（１）は直線であり、グリルの焼き網に挿入した場合斜めに挿入しなければならず、先端はグリルの水入れ皿底にあたる可能性がある。また、基盤（２）は面のある直線で、グリルの焼き網に挿入する際グリルの焼き網の水入れ皿側面にあたり、グリルの焼き網に平行な状態で挿入することが出来ない。
本発明は、これ等の欠点を解消した調理用掬具を提供することを目的とする。
【０００４】
【課題を解決するための手段】
本発明は前記目的に添うため、ステンレス・鉄等の金属線材を焼き網、グリルの焼き網の間に挿入出来るような間隔の櫛歯状に形成し、基部に握柄を取り付けた掬具であり、櫛歯状の握柄方向手元に略Ｓ字形部を設け、載置部に向かって高低差をつけるとともに、載置部先端には上方に向かって屈曲形成してなる係止部を設けた調理用掬具を提供するものである。焼き網、電気・ガスなどのグリル付コンロの焼き網において、焼き物を掬い上げる際、焼き物が滑り落ちる状態になった場合、載置部先端に上方に向かって屈曲形成してなる係止部を設けることにより滑り落ちを解決するものであり、また握柄方向手元には調理用掬具がグリルの水入れ皿側面に当たることを防ぎ、なおかつ焼き物に平行な状態で挿入し、真っ直ぐ真上に焼き物を持ち上げることが出来る略Ｓ字形部を形成し、載置部に向かって高低差を設けた。なお握柄方向の両角には、電気、ガスなどのグリル付コンロに調理用掬具を挿入する際、調理用掬具の角がグリルにぶつかることを解消するため調理用掬具の角を落とした曲線を設けた。そのことにより、切り身魚、大きな魚、開き魚、その他、焼き物の形を崩すことなく、また魚の皮なども身から剥がれることなく皿に移すことが出来る。
【０００５】
【発明実施の形態】
本発明の実施例を図面に基づいて説明する。
図１は、請求項１に示すステンレス・鉄等の金属線材（２）を焼き網、グリルの焼き網の間に挿入出来るような間隔の櫛歯状に形成し握柄（３）を取り付けた掬具（１）である。
櫛歯状の先端は、焼き物の表面を傷つけることなく掬い上げることが出来るよう湾曲（８）に形成し、櫛歯状の握柄方向の両角はグリルに挿入しやすいように角を落とした曲線（１０ａ・１０ｂ）を設けた。また櫛歯状から握柄方向に向けて握柄線（４）を設け、握柄（３）を取り付け、握柄中央はどこにでも掛けられるように開口（５）を設けた真上図である。
【０００６】
図２は、請求項１に示すステンレス・鉄等の金属線材（２）を焼き網、グリルの焼き網の間に挿入出来るような間隔の櫛歯状に形成し握柄（３）を取り付けた掬具（１）であって、載置部（６）先端には上方に向かって屈曲形成してなる係止部（７）を設け、握柄方向の手元には、水入れ皿側面に当たることを防ぐ略Ｓ字形部（９ａ・９ｂ）を形成し載置部（６）に向かって高底差を設けた斜視図である。
【０００７】
【実施例】
一つの実施例として、載置部先端の係止部を上方へ２０度程度曲げることにより、焼き物を掬い上げる際、斜めに掬い上げてもすべり落ちることを防ぐことが出来る。また握柄方向の手元に略Ｓ字形部を設け、載置部に向かって４０度程度の角度の高底差をつけることによりグリルの水入れ皿側面に当たることなく焼き物の真下に掬具を挿入することが出来、真っ直ぐ真上に焼き物を掬い上げ皿に移すことが出来る。尚、各焼き網に沿った櫛歯幅や水入れ皿に沿った角度が望ましい。
【０００８】
【発明の効果】
本発明は、以下の記載されるような効果を奏する。
焼き網、グリルの焼き網で魚などいろいろな焼き物を焼き、皿に移す場合、焼き物が柔らかく崩れやすい状態の物は、掬具を使用することにより崩れることなく皿に移すことができる。また、大きな物であれば箸で移すことは難しく、箸・ターナーなどで皿に移そうとする場合、焼き物の表面を汚くするおそれがある。それらの欠点を真下からそっと持ち上げ皿に移すことにより解消したものである。
【図面の簡単な説明】
【図１】調理用掬具の真上図である。
【図２】調理用掬具の斜視図である。
【図３】調理用掬具の側面図である。
【図４】グリルに掬具を挿入する状態を示す斜視図である。
【図５】グリルに掬具を挿入した状態を示す斜視図である。
【符号の説明】
１・・・調理用掬具
２・・・線材
３・・・握柄
４・・・握柄線
５・・・開口
６・・・載置部
７・・・係止部
８・・・湾曲部
９ａ　・・略Ｓ字形部
９ｂ　・・略Ｓ字形部
１０ａ　・曲線
１０ｂ　・曲線